(57)【特許請求の範囲】
【請求項１】
素材および取扱い方法の表示を含む品質表示がプリントによって生地の裏側に直接施されている、肌着。
【請求項２】
生地の縫い合わせ部分が表側に形成されている、請求項１に記載の肌着。
【請求項３】
乳幼児用に向けられる、請求項１または２に記載の肌着。
【発明の詳細な説明】
【０００１】
【発明の属する技術分野】
この発明は、肌着に関するもので、特に、肌着に付される品質表示手段における改良に関するものである。
【０００２】
【従来の技術】
繊維製品には、原則として、その素材や取扱い方法などの品質表示を付すことが義務付けられている。一般に、このような品質表示を衣服等に付す場合、品質表示を施したラベルが用意され、このラベルを、衣服の適当な場所に縫い付けることによって、衣服に取り付けることが行なわれている。通常、ラベルは、衣服の裏側であって、たとえば、襟の部分や前身頃と後身頃との縫い合わせ部分などに縫い付けられている。
【０００３】
他方、肌に直接触れるように着用する衣服、すなわち肌着において、生地の縫い合わせ部分が表側に形成され、それによって、縫い合わせ部分による違和感が肌に直接及ぼされにくくし、好ましい着用感を与え得るようにしたものも実用化されている。このような構造の肌着は、特に乳幼児用のものとして適している。なぜなら、乳幼児は、肌の、外部刺激に対する抵抗力が未発達の状態にあるからである。
【０００４】
【発明が解決しようとする課題】
上述のように、生地の縫い合わせ部分が表側に形成され、それによって、肌に直接及ぼされる違和感を低減した肌着であっても、前述したような品質表示を施す義務は免れることはない。したがって、現状では、このような肌着であっても、その裏側であって、たとえば、襟の部分や前身頃と後身頃との縫い合わせ部分などに、品質表示のためのラベルが縫い付けられていることが多い。
【０００５】
しかしながら、上述のように、品質表示ラベルが肌着の裏側に縫い付けられると、この品質表示ラベルが肌に対して違和感を与えてしまうことになり、そのため、生地の縫い合わせ部分を表側に位置させたことによる、好ましい着用感を与え得るという折角の効果が減殺されてしまう。
【０００６】
上述した効果の減殺を防ぐため、品質表示ラベルを肌着の表側に取り付けることも考えられるが、この場合には、肌着の外観を見苦しくしてしまう。
【０００７】
そこで、この発明の目的は、上述のような問題を解決し得る品質表示が施された肌着を提供しようとすることである。
【０００８】
【課題を解決するための手段】
この発明に係る肌着は、上述した技術的課題を解決するため、素材および取扱い方法の表示を含む品質表示がプリントによって生地の裏側に直接施されていることを特徴としている。
【００１０】
この発明は、生地の縫い合わせ部分が表側に形成されている肌着に対して特に有利に適用される。
【００１１】
また、この発明は、乳幼児用に向けられる肌着に対して適用されることが好ましい。
【００１２】
【発明の実施の形態】
図１は、この発明の一実施形態による肌着１の外観を示す正面図である。
【００１３】
図１に示した肌着１は、乳児用に向けられるものであって、たとえば綿１００％のメリヤス生地から構成される。
【００１４】
肌着１は、前身頃２を構成する生地、後身頃３を構成する生地、ならびに両袖４および５を構成する生地を縫い合わせることによって縫製されている。
【００１５】
図１には、前身頃２と後身頃３との縫い合わせ部分６および７、袖４および５の各々と前身頃２との縫い合わせ部分８および９が図示されている。また、図１には、袖４および５の各々を筒状に縫い上げるための縫い合わせ部分１０および１１、襟１２を整えるための縫い目１３、袖口１４および１５の各々を整えるための縫い目１６および１７、裾１８および１９の各々を整えるための縫い目２０および２１、ならびに股合わせ部２２を整えるための縫い目２３も図示されている。
【００１６】
なお、図示した股合わせ部２２は、前身頃２側に位置されるものであり、後身頃３側の図示しない股合わせ部に対して、ホック２４によって着脱可能とされる。
【００１７】
前述したような縫い合わせ部分６〜１１の各々は、表側に形成され、それによって、この肌着１を着用した乳児に対して違和感が及ぼされにくくされ、好ましい着用感を与え得るようにされている。また、同様の配慮が、縫い目１３、１６、１７、２０、２１および２３においても払われている。
【００１８】
このような肌着１において、たとえば前身頃２を構成する生地の裏側には、図１において破線でその位置の一例を示すように、品質表示２５が施されている。この品質表示２５の内容の一具体例が図２に拡大されて示されている。
【００１９】
図２を参照して、品質表示２５は、この肌着１の素材としての「綿１００％」および製造または販売業者としての「（株）ＡＢＣ」を示すとともに、取扱い方法をＪＩＳ規格に従って表示している。図２に示した例では、取扱い方法に関して、洗い方（水洗い）、塩素漂白の可否、アイロンのかけ方およびドライクリーニングの４種類の項目が表示されている。
【００２０】
このような品質表示２５は、ラベルによるのではなく、プリントによって前身頃２を構成する生地に直接施されていることを特徴としている。この品質表示２５を施すためのプリントとしては、たとえば転写プリントが有利に適用される。特に、転写の中でも、顔料粉末を分散させた樹脂からなるインクを用い、これを熱転写させる方法が、洗濯に対する高い堅牢度が得られる点で好ましい。用いられる顔料の色は、原則として、ＪＩＳ規格に規定されているものを使用すればよいが、生地の色との関係で、表示内容をより判読しやすいものを用いることが好ましい。
【００２１】
以上、この発明を、図示した実施形態に関連して説明したが、この発明の範囲内において、その他、種々の変形例が可能である。
【００２３】
図示の実施形態では、肌着１は、乳児用のものであったが、この発明は、幼児用の肌着に対しても、あるいは、大人用の肌着に対しても適用することができる。
【００２４】
また、図示した肌着１では、生地の縫い合わせ部分６〜１１が表側に形成されたが、通常の衣服のように、縫い合わせ部分が裏側に形成された肌着に対しても、この発明を適用することができる。
【００２５】
また、図２に示した品質表示２５は一例に過ぎず、このような品質表示は、当然のことながら、これが施される肌着の種類に応じて変更される。
【００２６】
【発明の効果】
以上のように、この発明に係る肌着によれば、品質表示がプリントによって生地に直接施されているので、従来のように、品質表示のためのラベルを肌着の裏側に取り付けた場合に懸念される、着用者に対する違和感を有利に解消することができる。
【００２７】
また、従来のように、ラベルによる品質表示を施そうとすれば、品質表示が付されたラベルを用意し、これを肌着に縫い付け等により取り付ける工程が必要であるが、この発明によれば、品質表示がプリントによって生地に直接施されるので、品質表示を付すための工程を簡易にすることができ、したがって、品質表示のためのコストを低減することができる。
【００２８】
また、この発明によれば、品質表示が裏側に施されているので、肌着の外観が品質表示によって損なわれることを防止することができる。
【００２９】
生地の縫い合わせ部分が表側に形成されている肌着に対して、この発明が適用されると、縫い合わせ部分による違和感を低減できるといった効果が、品質表示によって減殺されることを防止できる。したがって、生地の縫い合わせ部分を表側に形成したことによる、好ましい着用感を与え得るという効果を最大限に発揮させることができる。
【００３０】
また、乳幼児は、肌の、外部刺激に対する抵抗力が未発達であるため、肌着の裏側に取り付けられた品質表示ラベルが乳幼児の肌に悪影響を及ぼすことが考えられるが、この発明によれば、このような品質表示ラベルを用いる必要がないので、乳幼児用肌着に適用されるとき、特に顕著な効果を発揮させることができる。
【図面の簡単な説明】
【図１】この発明の一実施形態による肌着１の外観を示す正面図である。
【図２】図１において前身頃２の裏側に施された品質表示２５の一具体例を拡大して示す正面図である。
【符号の説明】
１  肌着
６〜１１  縫い合わせ部分
２５  品質表示
【図１】
0003609784.tif 000002
【図２】
0003609784.tif 000003